(57)【要約】【課題】本発明は地上デジタルテレビ放送の受信方法及び受信装置に関し，地上デジタルテレビ放送の一つの番組を移動しながら携帯端末で視聴している時に，放送エリアの境界を越えても同一の番組を継続して視聴できることを目的とする。【解決手段】第１と第２の受信機の一方の受信機が一つのチャンネルを選局している状態において放送信号に付随するデータ信号から放送事業者の系列識別情報を取得し，他方の受信機に対し他チャンネルの放送信号の検索を行って検出した放送信号中の放送事業者の系列識別情報を検出し，他チャンネルの系列識別情報と前記一方の受信機から取得した系列識別情報とを比較し，比較で一致が検出されると一方の受信機と他方のチャンネルの受信状態を表す信号を比較して他方のチャンネルの受信状態の方が良好であることを検出すると，他方のチャンネルの放送信号をテレビ表示装置への出力信号として選択するよう構成する。【選択図】図１
2009194603.tif 000002
【特許請求の範囲】
【請求項１】
放送信号に含まれるデータ信号から選局した放送局の系列局情報を検出する機能と選局した信号の受信状態を検出する機能を含む第１と第２の受信機を備えた携帯端末における地上デジタルテレビ放送の受信方法において，
チャンネル設定入力に応じて一方の受信機が対応するチャンネルを選局している状態において選局された放送信号に付随するデータ信号から放送事業者の系列識別情報を取得し，
前記第１と第２の受信機の他方の受信機に対し前記一方の受信機が選局したチャンネル以外の他チャンネルの放送信号の検索を行って検出した放送信号中の放送事業者の系列識別情報を検出し，
前記他チャンネルの系列識別情報と前記一方の受信機から取得した系列識別情報とを比較し，
前記比較で一致が検出されると前記一方の受信機と他方のチャンネルの受信状態を表す信号を比較して前記他方のチャンネルの受信状態の方が良好であることを検出すると，前記他方のチャンネルの放送信号をテレビ表示装置への出力信号として選択し，
放送エリアの境界を越えても継続して同一番組を視聴することを特徴とする携帯端末における地上デジタルテレビ放送の受信方法。
【請求項２】
請求項１において，
前記携帯端末が受信する地上デジタルテレビ放送の信号が地上デジタルテレビ１セグメント放送の信号であり，
前記受信状態を表す信号として選局したチャンネルの受信レベルを使用することを特徴とする地上デジタルテレビ放送の受信方法。
【請求項３】
地上デジタルテレビ放送を受信する携帯端末の受信装置において，
それぞれに選局した放送信号に対応するデータ信号から放送局の系列局情報を検出する機能と選局した放送信号の受信状態を表す信号を出力する機能を備えた第１と第２の受信機と，前記第１と第２の受信機の映像，音声を含む復調信号が入力され，その一方を選択してテレビ表示装置に出力する選択部と，制御部とを備え，
前記制御部は，
チャンネル設定入力を受けて前記第１と第２の受信機の一方の受信機を設定入力されたチャンネルを選局する選局手段と，
前記第１と第２の受信機の他方の受信機に対し前記一方の受信機が選局したチャンネル以外のチャンネルの放送信号の検索を行う他チャンネル検索手段と，
前記他チャンネル検索手段により検出したチャンネルの系列局情報と，前記一方の受信機が選局するチャンネルの系列局情報とを比較する比較手段と，
前記比較手段により一致が検出されると，前記一方と他方のチャンネルの受信状態を表す信号を比較して前記他方のチャンネルの受信状態の方が良好である場合に前記他方のチャンネルの放送信号を選択する信号を前記選択部に出力する受信状態判別手段と，
を備えることにより                                                                放送エリアの境界を越えても継続して同一番組を視聴することを特徴とする携帯端末の地上デジタル放送の受信機装置。
【請求項４】
請求項１において，
前記第１と第２の受信機は地上デジタルテレビ放送の信号として，地上デジタルテレビ１セグメント放送の信号を受信し，
前記比較手段は受信状態を表す信号として各受信機からの受信レベルを比較する手段を備えることを特徴とする携帯端末の地上デジタル放送の受信機装置。
【請求項５】
請求項３または４の何れかにおいて，
前記携帯端末に前記選択部で選択された復調信号を録画する録画手段を備え，
放送エリアの境界において前記一方の受信機による一つの放送エリアで放送する番組の受信から隣接する他の放送エリアで放送する前記番組と同一番組を他方の受信機で受信するように切替えることにより同一番組を切断することなく録画することを特徴とする携帯端末の地上デジタル放送の受信機装置。
【発明の詳細な説明】
【技術分野】
【０００１】
本発明は，携帯端末における地上デジタルテレビ放送の受信方法及び受信機装置に関する。
【背景技術】
【０００２】
地上デジタルテレビ放送が世界的に提供されるようになり，日本ではセグメント構造を持つＯＦＤＭを用いたＩＳＤＭ−Ｔ方式が採用されている。この方式では，１チャンネルを１３個のセグメントに分割し，１２セグメントで固定受信機向けの地上デジタルテレビ放送の映像のサービスを提供し，残りの１セグメントで移動受信を行う地上デジタルテレビ１セグメント放送（以下，１セグメント放送という）のサービスを提供している。
【０００３】
地上波デジタルテレビ放送はＵＨＦの周波数を使用しているため，限られた範囲で放送される地域放送となっており，例えば，県単位で放送されており，携帯端末向けのデジタルの１セグメント放送も同様に限られた地域で受信可能であるため，移動中に放送を聴取可能な境界位置を越えると聴取中の番組を聴取することができなくなり，中断することなく継続して同じ番組を聴取したいという要求を満足することができなかった。
【０００４】
なお，１セグメント放送はＡＲＩＢ（Association of Radio Industries and Broadcast:社団法人電波産業会）が規定した標準規格により，映像，音声の圧縮符号化の方式や，提供される圧縮符号化されたデータの構成，内容等が決められ，１セグメント放送のデータ放送については，ＡＲＩＢ  ＴＲ−Ｂ１４第３編データ放送運用規定の第４部「Ｃプロファイルに関する運用規定」において規定されている。
【０００５】
地上波デジタルテレビ放送の受信装置において，あるチャンネルの固定受信向け番組（１２セグメントを用いる）を視聴中に別のチャンネルの１セグメント放送を子画面に表示するために複数のアンテナから受信した信号を復調する複数の復調手段を用いてユーザが指定したチャンネルに係る部分セグメントの複素情報と，他のチャンネルの部分セグメントの複素情報の置き換えを行う技術が提案されている（特許文献１参照）。また，固定受信機向けの複数セグメントによる地上波デジタルテレビを受信するＨＤＴＶ受信機，１セグメント放送波を受信する１セグメント波受信機，アナログテレビジョン放送波を受信するアナログ受信機という３つの受信機の中から，現在位置における複数の放送波の受信エリア情報を取得して，移動速度と受信エリア情報に基づいて最も安定して表示映像が得られる一つの放送波を複数の受信機の中から検出して，検出した一つの放送波の映像を表示する技術が提案されている（特許文献２参照）。
【特許文献１】特開２００６−４１９８２号公報
【特許文献２】特開２００６−２６２１２６号公報
【発明の開示】
【発明が解決しようとする課題】
【０００６】
１セグメント放送を携帯端末を用いて移動中のユーザが視聴している時，放送エリア（またはゾーン）の限界を越えると，放送エリアが変更した場合，変更前まで視聴していた番組を継続して見ることができなくなる。
【０００７】
このような場合，エリアが変更されてもそれまでに視聴していたのと同一の番組を継続して視聴したいという要求がある。
【０００８】
このような要求に対し，上記特許文献１の技術では，固定受信向け番組（１２セグメントを用いる）を視聴中に別のチャンネルの１セグメント放送を子画面に表示するものであって，１セグメント放送だけを移動状態でも視聴できる受信機において，放送エリアを変更した場合の番組を継続して視聴する目的に対応するものではない。また，上記特許文献２の技術では，複数のテレビジョン信号波の中から最も安定して表示映像が得られる一つの放送波を選択して表示するものであり，１セグメント放送波を受信中に放送エリアが変更しても同じ番組を継続して視聴するという目的を実現するものではない。
【０００９】
本発明は地上デジタルテレビ放送の一つの番組を移動しながら携帯端末で視聴している時に，放送エリアの境界を越えても同一の番組を継続して視聴することができる地上デジタルテレビ放送の受信方法及び受信装置を提供することを目的とする。
【課題を解決するための手段】
【００１０】
本発明は地上デジタルテレビ放送の映像と音声の信号の他にユーザに対して提供されるデータ放送の中に放送事業者の系列局情報が含まれていることに着目し，２つの受信機を設けた携帯端末が移動中に，一方の受信機であるチャンネルの番組を聴取している時にその放送エリアの境界位置（隣接エリアと重なる位置）に達しても，その系列局情報を利用することにより隣接する放送エリアのそれまで視聴していたチャンネルと同一の系列局のチャンネルを検出し，検出した隣接放送エリアの放送信号の受信状態の方が元のエリアの放送信号の受信状態より良好であると隣接放送エリアの放送信号を選択することにより同一番組を継続して視聴することができるようにしたものである。
【００１１】
すなわち，この地上デジタルテレビ放送の受信方法及び受信装置では，それぞれに選局した放送信号とその受信状態を表す信号及び対応するデータ信号から放送局の系列局情報を出力する機能を備えた第１と第２の受信機を備えた地上デジタルテレビ放送を携帯端末で受信する場合に，一方の受信機において指定されたチャンネルを選局して視聴している時，他方の受信機により指定されたチャンネルを除く他のチャンネルの検索（サーチ）を行う。この他方の受信機による検索（サーチ）で受信が検出されるそのチャンネルの系列局情報をそのチャンネルのデータ信号から取り出して，上記一方の受信機で受信するチャンネルの系列局情報と比較する。この比較で一致が検出されると一方の受信機の選局したチャンネルの受信状態と他方の受信機の検索（サーチ）で検出したチャンネルの受信状態を比較する。この比較で他方の受信機のチャンネルの受信状態の方が良好である場合，携帯端末の位置がそれまでの放送エリアから隣接する放送エリアに移行したことを表すもので，隣接する放送エリアの放送信号を受信する他方の受信機の出力信号を選択した表示部（音声出力を含む）へ出力するよう構成する。
【００１２】
また，上記したように一方の受信機で選局したチャンネルである番組を受信中に携帯端末が隣接する放送エリアとの境界または，隣接放送エリアに移って他方の受信機でサーチしたチャンネルを表示部へ出力して表示するよう選択した状態になると，今度は一方の受信機に対してチャンネル検索（サーチ）するようにし，チャンネルが検出されるとその系列局情報と他方の受信機の現在表示しているチャンネルの系列局情報とを比較して，同様の動作を行って更に隣接する放送エリアに移動した場合のチャンネルの切替えが行われる。
【００１３】
また，第１の受信機と第２の受信機の出力から一方が選択されて表示部（音声出力を含む）へ出力される信号を入力する録画装置を設けて録画を行う場合，放送エリアを越えて一つの放送エリアで放送する番組の受信から隣接する他の放送エリアで放送する前記番組と同一番組を他方の受信機で受信するように切替えることにより同一番組を切断することなく録画するよう構成する。
【００１４】
更に，この発明は地上デジタルテレビ放送として，１セグメント放送を受信する携帯端末の受信装置に実施することができ，携帯電話機として構成することができる。
【発明の効果】
【００１５】
本発明により移動中のユーザが所持する携帯端末により１セグメント放送の番組を聴取している時，その放送エリアの限界位置に達して別の放送エリアに移る場合に人手による選局の操作をすることなく同一番組を継続して聴取することが可能となる。
【発明を実施するための最良の形態】
【００１６】
図１はこの発明に係る受信装置の概略構成を示す図である。図中，１ａは第１の受信機，１ｂは第２の受信機，１０は選択部，１１はテレビ映像，データの表示と音声の出力を行うと共にデータ（文字）表示も行う表示部，２は制御部，２ａはユーザの指示（キー入力等）や，サーチによる選局を行う選局制御部，２ｂは２つの受信機の中の一方の出力を選択して表示部に出力した状態で，他方の受信機に対して順番に選局するサーチ部，２ｃは系列局情報比較部，２ｄは第１と第２の受信機で選局したチャンネルの受信状態の信号を比較判定する受信状態判定部，２ｅは第１の受信機の出力と第２の受信機の出力の一方を選択してテレビ表示部に出力する受信機選択部である。
【００１７】
ここで，本発明が実施される１セグメント放送（地上デジタルテレビ１セグメント放送）により送信されるデータ信号には，ＡＲＩＢ（Association of Radio Industries and Broadcast:社団法人電波産業会) の標準規格ＳＴＤ−Ｂ24「デジタル放送におけるデータ放送符号化方式と伝送方式」で仕様が決められ，その中のＣプロファイルに関する運用規定において，ＥＳ（Elementary Stream : 圧縮符号化されたデータの流れ）運用規定内に記述されたＰＳＩ（Program Specific Information) ／ＳＩ(Service Information) の中に，ＢＩＴ（Broadcasting Information Table：放送情報テーブル) というテーブルで「放送事業者を示す情報」，「放送事業者の系列ＩＤ（キー局情報または系列局情報）」の情報等が含まれており，この情報を利用する。なお，ＢＩＴの中には，他にもＥＩＴ（Event Information Table)というテーブルで「番組名」，「番組内容」等の情報が設定されている。また，ＢＩＴの情報は各局から一定周期をおいて送信され，受信機において復調するとメモリで保持する。
【００１８】
図１の動作を説明すると，第１の受信機１ａと第２の受信機１ｂは最初は制御部２の選局制御部２ａからの選局信号により指定されたチャンネル（図示省略されたキー入力等）の放送を選局し，各受信機の内部の復調機能により映像信号，音声信号及び関連する表示用のデータ信号が出力され，初期状態では受信機選択部２ｅは第１の受信機の出力を選択するよう選択部１０を制御し，選択された出力により表示部１１で表示が行われる。
【００１９】
その後，他受信機のサーチ部２ｂが駆動されると第２の受信機１ｂに対して，第１の受信機１ａが選局しているチャンネル以外のチャンネルをサーチ（スキャン）するよう第２の受信機１ｂを制御する。これにより第２の受信機１ｂに対して順番にチャンネルを選局し，選局する毎に系列局情報比較部２ｃによる比較を実行する。すなわち，第２の受信機１ｂのサーチにより選局したチャンネルの系列局情報（放送事業者の系列ＩＤ）と，第１の受信機１ａのチャンネルの系列局情報とを比較する。ここで一致が得られないと，他受信機のサーチ部２ｂにより次のチャンネルのサーチを行って系列局情報比較部２ｃによる系列局情報の比較を行う動作を繰り返す。系列局情報比較部２ｃにより一致が得られた場合，第１の受信機１ａで選局したチャンネルで放送している同じ番組を放送する同一の放送系列の隣接する放送エリアのチャンネル（第１の受信機１ａで受信中のチャンネルとは異なるチャンネル）であり，同一番組のチャンネルを検出したことになる。一致が得られた場合，受信状態判定部２ｄで何れが良好な受信状態であるか判定し，サーチにより選局した第２の受信機１ｂのチャンネルの受信状態の方が第１の受信機１ａの受信状態より良好であれば，受信機選択部２ｅに対して第２の受信機１ｂを選択することを指示する信号が発生し，受信機選択部２ｅはその指示により選択部１０に対して第２の受信機１ｂの出力を選択するよう制御する信号を発生する。
【００２０】
このようにして，第１の受信機１ａにより選局したチャンネルで放送しているテレビ放送の番組を視聴している時に，放送エリアの限界に移動した時に，隣接する放送エリアで同一系列局により同じ番組を放送している場合には，自動的にその同一系列局のチャンネルを選択するよう切替えることができ，移動中の携帯端末のユーザは隣接放送エリアに移動しても継続して同じ番組を視聴することができる。
【００２１】
図２は実施例の構成を示す図である。図中，３ａ，３ｂは１セグメント放送を受信して選局（チューナ機構）により選択した放送信号を復調して，映像信号，音声信号及びデータ信号（画面表示のための信号）や，各種のサービスのため情報信号が抽出して出力する第１の受信機と第２の受信機（図１の１ａ，１ｂに対応），３０ａ，３０ｂは各受信機３ａ，３ｂで受信して選局されて復調したテレビの映像，音声，データ（表示用のデータ）を含む出力信号（テレビ信号ともいう），３１ａ，３１ｂは各受信機３ａ，３ｂからのその時選局しているチャンネルに対応して送信されているデータ放送に含まれた系列局情報，３２ａ，３２ｂは各受信機３ａ，３ｂにおける選局しているチャンネルの受信状態（主に受信レベル）の信号，３３ａ，３３ｂは処理装置から各受信機３ａ，３ｂに対して送出される選局制御情報である。５は２つの受信機３ａ，３ｂからの出力信号（テレビ信号）の何れかを選択する選択部，６は受信機３ａ，３ｂからのデータや，状態信号を入力して各受信機の選局制御等を行うと共にキーボード，表示部等の入出力制御を行う処理装置（ＣＰＵ及びプログラム，データを格納したメモリとで構成），６０は各種の入・出力信号のためのインタフェース（ＩＦで表示），７ａはテレビ信号や，携帯電話等の携帯端末のための各種の表示を行う表示部（ＬＣＤ），７ｂはスピーカ，８は携帯端末の各種の制御指示やデータを入力するためのキー入力部である。
【００２２】
図３は放送エリア（またはゾーン）の境界におけるチャンネル切替えの処理フローであり，上記図２の処理装置６において実行される。図２の第１の受信機３ａ，第２の受信機３ｂは図３の処理フローにおいて単に受信機ａ，受信機ｂと記載され，各受信機のそれぞれはチャンネルを選択するためのチャーナを内蔵（図示省略）している。
【００２３】
最初に受信機ａと受信機ｂのチャンネルを設定する（図３のＳ１）。例えば，１３チャンネルに設定したものとする。次に受信機ａの系列局情報を取得する（図３のＳ２）。例えば，１３チャンネルの系列局情報として「Ｚテレビ系列」が取得されたものとする。この後，受信機ｂをチャンネルサーチ状態にする（図３のＳ３）。このチャネルサーチでは，ステップＳ１で最初に設定したチャンネルを除いた他のチャンネルについて順番にサーチ（スキャン）を実行する。受信機ｂのチャンネルサーチで受信チャンネルが見つかったか判別し（図３のＳ４），見つからない場合はステップＳ３に戻り，次の順番のチャンネルサーチを行い，見つかった場合は，そのチャンネルの系列局情報を取得して，上記ステップＳ２で受信機ａで取得した系列局情報と比較して一致するか判別する（同Ｓ５）。一致しないとステップＳ３にもどり次のチャンネルサーチを行い，一致が得られた場合は，その時の受信機ｂでサーチしたチャンネルの受信感度と受信機ａの受信感度を検出して，受信機ｂの受信感度の方が受信機ａの受信感度より高いか判別する（図３のＳ６）。この時，受信感度としては，例えば，受信レベルを使用することができる。受信機ｂの受信感度の方が高いと判別されると，受信機ｂで受信したテレビ信号を有効な信号として選択する制御信号を発生する（図３のＳ７）。上記ステップＳ６において，受信機ａの受信感度が受信機ｂの受信感度と一致するか，受信機ｂの受信感度を超える場合は，ステップＳ６の判別を繰り返す。
【００２４】
上記図３の処理フローにおいて，ステップＳ７で受信機ｂの受信データを有効（表示部に受信機ｂの受信データを出力する）とした状態になると，図３のステップＳ３〜Ｓ７の処理が実行される。すなわち，ステップＳ３では受信機ａのチャンネルサーチが実行され，Ｓ４，Ｓ５でイエスと判別されると，受信感度の比較において，受信機ａ＞受信機ｂであるか判別し，ここでイエスと判別されると，ステップＳ７において受信機ａの受信データを有効とする，処理が実行される。
【００２５】
図４は放送エリアの境界を移動する携帯端末の状態変化の例を示す図である。図中，８０は上記図２に示すような２つの受信機を備えた１セグメント放送を受信して視聴する機構を備えた携帯電話機，エリアＡとエリアＢはそれぞれ１セグメント放送の放送局によるサービスが提供される（電波が受信可能な）隣接する２つのエリアを表す。
【００２６】
図４の状態１は携帯電話機８０がエリアＡの放送だけを受信できる位置にいる状態で，状態２はエリアＡと隣接のエリアＢの両方の放送を受信可能な位置（エリアが重なった位置）にいる状態で，状態３は隣接のエリアＢの放送だけを受信できる位置にいる状態である。
【００２７】
図４の状態１，状態２，状態３における携帯電話機８０における受信機ａと受信機ｂの状態と受信有効データ（表示部に受信機ａとｂのどちらの受信データを表示する）とを説明する。
【００２８】
〔状態１〕  受信機ａ：１３ｃｈ（チャネル）を受信，Ｚテレビ系列，受信感度１０，受信有効データ
受信機ｂ：チャンネルスキャン状態
〔状態２〕  受信機ａ：１３ｃｈを受信，Ｚテレビ系列，受信感度８，受信有効データ
受信機ｂ：４０ｃｈ，Ｚテレビ系列，受信感度２
〔状態３〕  受信機ａ：１３ｃｈを受信，Ｚテレビ系列，受信感度１，チャンネルスキャン状態に移行
受信機ｂ：４０ｃｈ，Ｚテレビ系列，受信感度１０，受信データ有効
このようにして，エリアＡの境界からエリアＢへ移動する携帯電話機で１セグメント放送を受信中にエリアＡで視聴していたのと同じキー局の番組を，エリアＢに移動しても引続き視聴することが可能となる。
【００２９】
（付記１）  放送信号に含まれるデータ信号から選局した放送局の系列局情報を検出する機能と選局した信号の受信状態を検出する機能を含む第１と第２の受信機を備えた携帯端末における地上デジタルテレビ放送の受信方法において，チャンネル設定入力に応じて一方の受信機が対応するチャンネルを選局している状態において選局された放送信号に付随するデータ信号から放送事業者の系列識別情報を取得し，前記第１と第２の受信機の他方の受信機に対し前記一方の受信機が選局したチャンネル以外の他チャンネルの放送信号の検索を行って検出した放送信号中の放送事業者の系列識別情報を検出し，前記他チャンネルの系列識別情報と前記一方の受信機から取得した系列識別情報とを比較し，前記比較で一致が検出されると前記一方の受信機と他方のチャンネルの受信状態を表す信号を比較して前記他方のチャンネルの受信状態の方が良好であることを検出すると，前記他方のチャンネルの放送信号をテレビ表示装置への出力信号として選択し，放送エリアの境界を越えても継続して同一番組を視聴することを特徴とする携帯端末における地上デジタルテレビ放送の受信方法。
【００３０】
（付記２）  付記１において，前記携帯端末が受信する地上デジタルテレビ放送の信号が地上デジタルテレビ１セグメント放送の信号であり，前記受信状態を表す信号として選局したチャンネルの受信レベルを使用することを特徴とする地上デジタルテレビ放送の受信方法。
【００３１】
（付記３）  付記１または２において，前記他方の受信機のチャンネルサーチで検出した放送信号を表示部への出力信号として選択した状態になると，前記一方の受信機に対して前記他方の受信機で検出したチャンネルを除く他のチャンネルを検索し，検索により受信が検出されたチャンネルの系列局情報を前記他方の受信機で検出したチャンネルの系列局情報と比較し，一致が検出されると前記一方の受信機の選局したチャンネルの受信状態と前記他方の受信機の前記サーチされたチャンネルの受信状態を比較し，前記一方の受信機のチャンネルの受信状態の方が良好であると，前記一方の受信機の出力信号を選択した表示部へ出力することを特徴とする携帯端末における地上デジタルテレビ放送の受信方法。
【００３２】
（付記４）  地上デジタルテレビ放送を受信する携帯端末の受信装置において，それぞれに選局した放送信号に対応するデータ信号から放送局の系列局情報を検出する機能と選局した放送信号の受信状態を表す信号を出力する機能を備えた第１と第２の受信機と，前記第１と第２の受信機の映像，音声を含む復調信号が入力され，その一方を選択してテレビ表示装置に出力する選択部と，制御部とを備え，前記制御部は，チャンネル設定入力を受けて前記第１と第２の受信機の一方の受信機を設定入力されたチャンネルを選局する選局手段と，前記第１と第２の受信機の他方の受信機に対し前記一方の受信機が選局したチャンネル以外のチャンネルの放送信号の検索を行う他チャンネル検索手段と，前記他チャンネル検索手段により検出したチャンネルの系列局情報と，前記一方の受信機が選局するチャンネルの系列局情報とを比較する比較手段と，前記比較手段により一致が検出されると，前記一方と他方のチャンネルの受信状態を表す信号を比較して前記他方のチャンネルの受信状態の方が良好である場合に前記他方のチャンネルの放送信号を選択する信号を前記選択部に出力する受信状態判別手段と，を備えることにより放送エリアの境界を越えても継続して同一番組を視聴することを特徴とする携帯端末の地上デジタル放送の受信装置。
【００３３】
（付記５）  付記１において，前記第１と第２の受信機は地上デジタルテレビ放送の信号として，地上デジタルテレビ１セグメント放送の信号を受信し，前記比較手段は受信状態を表す信号として各受信機からの受信レベルを比較する手段を備えることを特徴とする携帯端末の地上デジタル放送の受信装置。
【００３４】
（付記６）  付記４または５の何れかにおいて，前記制御部は，他方の受信機のチャンネル検索で検出した放送信号が表示部へ出力するよう前記選択部で選択した状態において，前記一方の受信機に対して前記他方の受信機の受信チャンネルを除く他のチャンネルのチャンネル検索し，前記一方の受信機のチャンネル検索で検出したチャンネルと前記他方の受信機の系列局情報の比較と，比較一致における受信状態の判別を行うことを特徴とする携帯端末の地上デジタル放送の受信装置。
【００３５】
（付記７）  付記４乃至６の何れか一つにおいて，前記携帯端末に前記選択部で選択された復調信号を録画する録画手段を備え，放送エリアの境界において前記一方の受信機による一つの放送エリアで放送する番組の受信から隣接する他の放送エリアで放送する前記番組と同一番組を他方の受信機で受信するように切替えることにより同一番組を切断することなく録画することを特徴とする携帯端末の地上デジタル放送の受信装置。
【図面の簡単な説明】
【００３６】
【図１】この発明の受信機装置の概略構成を示す図である。
【図２】実施例の構成を示す図である。
【図３】放送エリアの境界におけるチャンネル切替えの処理フローを示す図である。
【図４】放送エリアの境界を移動する携帯端末の状態変化の例を示す図である。
【符号の説明】
【００３７】
１ａ      第１の受信機
１ｂ      第２の受信機
１０      受信機選択部
１１      表示部
２        制御部
２ａ      選局制御部
２ｂ      他受信機のサーチ部
２ｃ      系列局情報比較部
２ｄ      受信状態判定部
２ｅ      受信機選択部
【図１】
2009194603.tif 000003
【図２】
2009194603.tif 000004
【図３】
2009194603.tif 000005
【図４】
2009194603.tif 000006